(57)【要約】  特定の種類の昆虫、たとえば餌を集めるミツバチを保持するための昆虫ホルダは、特定の種類の昆虫を受入れるよう適合されたチャンバを備えたハウジングと、特定の種類の昆虫がそこを通りチャンバに入ることのできるチャンバへの入口と、ハウジングに特定の種類の昆虫を保持しつつ、チャンバにおけるその昆虫の頭部をそこを通ってハウジングの外側に出せるよう適合されたチャンバへの頭部開口部と、チャンバにおける特定の種類の昆虫を、そこで向きを変えることができないように、その頭部が頭部開口部を通りハウジングの外側へ突き出た状態で保持するための保持手段とを含む。使用する際に、特定の種類の昆虫が入口を通ってチャンバに入り、保持手段によってホルダに保持される。昆虫は、その頭部がチャンバの頭部開口部から突き出た状態でチャンバにおいて保持される。昆虫は、チャンバにおいて向きを変えたりその頭部をチャンバ内に引込めたりすることができないよう抑制されるので、その頭部がチャンバの外側に出たままとなるはずである。こうして、昆虫は頭部が見える状態でホルダに保持されるので、昆虫の頭部を観察でき、たとえば公知の態様で吻運動の監視することができる。観察が終了すると、保持手段が取外されるかまたは作動しないようにされ得るので、昆虫は損傷のない無傷の状態でチャンバから出ることができる。
2005512580.tif 000002
【特許請求の範囲】
【請求項１】
特定の種類の昆虫を保持するための昆虫ホルダであって、前記ホルダは、特定の種類の昆虫を受入れるよう適合されたチャンバを備えたハウジングと、特定の種類の昆虫がそこを通ってチャンバに入ることのできるチャンバへの入口と、チャンバにおける特定の種類の昆虫の頭部を、前記昆虫をハウジングに保持しつつ、そこを通してハウジングの外側へ出せるよう適合されたチャンバへの頭部開口部と、チャンバにおける特定の種類の昆虫を、チャンバにおいて向きを変えることができないようにその頭部が頭部開口部を通ってハウジングの外側へ突き出た状態で保持するための保持手段とを含む、昆虫ホルダ。
【請求項２】
前記保持手段は、前記入口を閉じるための閉鎖手段を含む、請求項１に記載の装置。
【請求項３】
前記保持手段は、チャンバにおける昆虫の頭部と胸部との間、胸部と腹部との間、または腹部の後ろに配置可能な首輪またはあごを含む、請求項１または２に記載の装置。
【請求項４】
前記頭部開口部は円形または部分的に円形である、請求項１、２または３に記載の装置。
【請求項５】
前記頭部開口部はそこから延在するスリットを有する、請求項１から４のいずれかに記載の装置。
【請求項６】
前記頭部開口部は、それに関連付けられる頭部抑制具を有する、請求項１から５のいずれかに記載の装置。
【請求項７】
前記チャンバは、その長さの少なくとも一部に沿って通る長手方向の内部突起またはリブを有する、請求項１から６のいずれかに記載の装置。
【請求項８】
前記チャンバは、ホルダにおける昆虫の脚がそこを通り得る脚用の孔を構成するアパーチャを含む、請求項１から７のいずれかに記載の装置。
【請求項９】
前記チャンバは、幅が少なくとも５ｍｍ、長さが約１３ｍｍ、頭部開口部の直径が約４ｍｍである、餌を集めるミツバチを保持するよう適合された、請求項１から８のいずれかに記載の装置。
【請求項１０】
前記ハウジングは剛性のプラスチック材料から作られる、請求項１から９のいずれかに記載の装置。
【請求項１１】
昆虫、特にハチが中に保持される、請求項１から１０のいずれかに記載の昆虫ホルダ。
【請求項１２】
昆虫、特にハチが中に保持される、請求項１から１０のいずれかに記載の昆虫ホルダと、ホルダにおける昆虫の匂いへの反応を検出するための手段とを含む、匂い感知装置。
【発明の詳細な説明】
【技術分野】
【０００１】
発明の分野
この発明は、たとえば調査の目的でハチなどの昆虫を保持するための昆虫ホルダに関する。
【背景技術】
【０００２】
発明の背景
ハチの行動の局面について調査を行なう場合、たとえば、刺激後に起こる反射的な吻伸展反応の監視を可能にするためにハチを個々のホルダに保持することが公知である。一般的に、公知のハチホルダは、ハチが中に配置される半円筒形部分を設けるよう部分的に切欠かれた円筒形の管を含み、ハチは、その頭部の周りまたは後ろおよび／またはその胸部の周りに回される１片以上の接着テープの細片を用いることにより適所に保持される。たとえば、バットソン（Batson）他の「比較心理学ジャーナル」（Journal of Comparative
Psychology, 1992, Vol 106, No 2, 114-119）、シャフィール（Shafir）他の「動物行動学」（Animal Behaviour, 1999, 57, 1055-1061）、バックビー他の（Buckbee）他の「昆虫行動学ジャーナル」（Journal of Insect Behaviour, Vol 10, No 4, 1997, 479-491）、およびエイブラムソン（Abramson）他の「昆虫学ジャーナル」（Ｊ Entomol. Sci., Vol 36, No 1, 2001）を参照されたい。
【０００３】
ハチは、一般的に、ホルダに配置される直前に低温にさらされて、その活動が減じられ、取扱いやすくなる。それにもかかわらず、ハチをホルダに配置しかつ固定することは熟練を要する作業である。さらに、ハチを所定の位置に抑制するために接着テープを用いるとハチに損傷を与えがちになる。
【発明の開示】
【発明が解決しようとする課題】
【０００４】
この発明は、中に保持された昆虫に損傷を与える可能性の低い代替的な昆虫ホルダを提供することを目的とする。
【課題を解決するための手段】
【０００５】
発明の概要
この発明に従って、特定の種類の昆虫を保持するための昆虫ホルダが提供され、このホルダは特定の種類の昆虫を受入れるよう適合されたチャンバを備えたハウジングと、特定の種類の昆虫がそこを通ってチャンバに入ることができるチャンバへの入口と、チャンバ内の特定の種類の昆虫をハウジングに保持しつつ、その昆虫の頭部をそこを通してハウジングの外側に出せるよう適合されたチャンバへの頭部開口部と、チャンバにおける特定の種類の昆虫を、そこで向きを変えることができないように、その頭部が頭部開口部を通ってハウジングの外側へ突き出た状態で保持するための保持手段とを含む。
【０００６】
使用する際に、特定の種類の昆虫は入口を通ってチャンバに入り、次いで、保持手段によってホルダに保持される。昆虫は、その頭部がチャンバの頭部開口部を通って突き出た状態でチャンバにおいて保持される。昆虫は、チャンバ内で向きを変えたり、その頭部をチャンバ内に引込めたりすることができないよう拘束されるので、その頭部がチャンバの外側に出たままとなるはずである。こうして昆虫は頭部が見える状態でホルダにおいて保持され、このため、昆虫頭部を観察することができ、たとえば上述に参照される文書に開示される公知の態様で、たとえば吻伸展を監視することができる。観察が終了すると、保持手段を取外すかまたは作動しないようにすることができるので、昆虫は、損傷のない無
傷の状態でチャンバから出ることができる。したがって、チャンバは、ホルダに保持された昆虫をそこから損傷なく無傷で取外すことができるように、取外し可能な態様で昆虫を受入れるよう適合される。
【０００７】
昆虫は、以下を含む複数のさまざまな方法でチャンバに進入させることができる。
【０００８】
１．  昆虫は、チャンバの下流に適切に位置決めされた１つ以上の誘引物質、たとえば食物、匂い、光など（たとえばハチを引寄せる砂糖溶液）を用いることにより、チャンバに入るよう誘き寄せられてもよい。
【０００９】
２．  昆虫は熟練した取扱者によって手作業でチャンバに入れられてもよい。
【００１０】
３．  昆虫は、適切な向きの気体、たとえば空気、の流れに吹付けられてチャンバに入れられてもよい。
【００１１】
この発明の昆虫ホルダは様々な範囲の昆虫で用いるよう適用可能であり、特定のホルダが特定の種類、たとえば特定の種の昆虫を保持するよう設計かつ寸法決めされる。たとえば、この発明は、餌を集めるミツバチ（セイヨウミツバチの種）のためのホルダに特定の応用例を見出す。この場合、チャンバは、適切には、幅が少なくとも５ｍｍ、長さが約１３ｍｍであり、頭部開口部は直径が約４ｍｍである。
【００１２】
保持手段は、昆虫が入口を通ってチャンバから出ることを防ぐために、入口を閉じるための閉鎖手段の形態であってもよい。閉鎖手段は、部材、たとえば、入口に取外し可能に嵌め合わされるよう適合されたプラグを含み得る。観察が終了すると、閉鎖手段を取外し、チャンバの入口を開くことができるので、昆虫は入口を通ってチャンバから出ることができる。
【００１３】
保持手段は、代替的または付加的には、チャンバ内の昆虫の頭部と胸部との間、胸部と腹部との間、または腹部の後ろに配置可能な首輪またはあごの形態であってもよい。このような首輪またはあごは、一方向のゲートまたは弁構成の形態であってもよく、たとえば、昆虫がチャンバに入るがそこを出ることができないよう適切に形作られる（たとえば傾斜させる）かまたは偏らせてもよい。代替的または付加的には、このような首輪またはあごは、チャンバ内への昆虫の移動が可能な開いた位置と、チャンバからの昆虫の移動が妨げられる閉じたまたはラッチ留めされた位置との間で可動し得る。起動手段は、ことによるとホルダにおける昆虫の正確な位置決めに自動的に反応して首輪またはあごを移動させるよう備えられてもよい。
【００１４】
頭部開口部は円形であってもよいが、好ましくは非円形であり、たとえば部分的に円形であり、ホルダ内の昆虫が頭部を丸めてチャンバの方に向けるのを防ぐよう設計される。頭部開口部はそこから延在するスリットを有してもよく、このスリットは、ある昆虫の動き、たとえば吻伸展、を容易にするよう位置決めされている。
【００１５】
頭部開口部は、随意には、それに関連付けられ、ホルダにおける昆虫の頭部が動くのを制限する頭部抑制具を有し得る。
【００１６】
簡単な実施例においては、チャンバは概して円筒形である。しかしながら、好ましくは、チャンバは内部の断面が非円形であり、代わりに、中に保持された昆虫が身をよじらせたり向きを変えたりするのを防ぐよう形作られかつ構成される。この目的のために、チャンバは、望ましくは、その長さの少なくとも一部に沿って通る長手方向の内部突起またはリブを有し、その上に昆虫の体部の下側面を載せることができ、上述の突起またはリブの
両側上にそれぞれの長手方向の溝を備え、昆虫の脚がそこに適合し得、ことによると上述の突起またはリブの両側をつかみ得る。このような構成により、昆虫を望ましい位置において方向付けることが容易となる。
【００１７】
同様に、脚用の孔を構成するアパーチャをチャンバに備えることが有利であり得、そこにホルダ内の昆虫の脚が通され、さらに昆虫の方向付けを助ける。
【００１８】
簡単な実施例では、ハウジングは概して断面が円形の管状形であり、概して円筒形のチャンバを規定している。円筒形のチャンバは両端が開いており、一方端の開口部が入口を構成し、他方端における、寸法がより小さい開口部が頭部開口部を構成する。保持手段は、入口を閉じるための閉鎖手段を含み、典型的には、入口に取外し可能に嵌合するよう適合されたプラグなどの部材を含む。餌を集めるミツバチを保持するのに用いるためのこの形態の実施例の場合、チャンバは直径が５ｍｍであり、入口開口部は少なくともこれと同程度の大きさであり、頭部開口部は直径が４ｍｍである。入口が閉鎖手段によって閉じられる際のチャンバの長さは１３ｍｍである。このような寸法のホルダは、チャンバにおける餌を集めるミツバチを、その頭部が頭部開口部を通って突き出た状態で、かつこのハチがチャンバ内で向きを変えるのを妨げられた状態で保持するよう機能する。頭部開口部は円形であってもよいが、好ましくは部分的に円形であり、たとえばほぼ半円形であり、ハチがその頭部を丸めてチャンバの方に向けることを妨げる。
【００１９】
ハウジングは、便宜的には剛性のプラスチック材料、たとえばアセタール、アクリル、ポリプロピレン、ナイロン（Nylon（登録商標））などで作られ、いかなる便宜的な技術、たとえば機械加工、成形などによって作られてもよい。
【００２０】
さらなる局面においては、この発明は、昆虫、特にハチが中に保持される、この発明に従った昆虫ホルダを提供する。
【００２１】
別の局面では、この発明は、昆虫、特にハチが中に保持される、この発明に従った昆虫ホルダと、ホルダにおける昆虫の匂いへの反応を検出するための手段とを含む匂い感知装置を提供する。
【００２２】
検出手段は便宜的には、好適な画像分析機器、たとえばＣＣＤカメラ、を含む。
【００２３】
餌を集めるミツバチのためのホルダの形態であるこの発明の実施例は、ここでは、添付の図面に関連して例示のために記載される。
【発明を実施するための最良の形態】
【００２４】
図面の詳細な説明
図１および図２を参照するとハチホルダ５の簡単な実施例が示され、このハチホルダ５は、円筒形のチャンバ１２を規定しアセタールプラスチック材料でできた概して管状で断面が円形のハウジング１０を含む。ハウジング１０は長さが３３ｍｍであり、直径が１０ｍｍである。チャンバ１２は直径が５ｍｍである。ハウジングの一方端における開口部１４は、チャンバへの、直径５ｍｍの円形の入口を構成する。チャンバの他方端における開口部１６は直径が４ｍｍで、半円形であり、チャンバへの頭部開口部を構成する。開口部１６を囲むハウジングは２８°の角度で面取りされる。
【００２５】
ハウジング１０は、直径１０ｍｍのアセタールのロッドを機械加工することにより作られた。
【００２６】
円形のエンドキャップ２０を含む取外し可能なプラグ１８およびロッド部分２２が所定
の位置で示され、入口１４を閉じ、保持手段を構成している。ロッド部分２２は長さが２０ｍｍであり、プラグが所定の位置にある状態ではチャンバ１２は長さが１３ｍｍとなる。
【００２７】
使用の際に、餌を集めるミツバチは入口１４を通り頭部からチャンバ１２に挿入される。たとえば、熟練した取扱者はハチの羽をつまみ、手作業でハチをホルダに挿入することができる。次いで、ハチは、入口１４に向けられる気体、たとえば空気、の流れにより（たとえば取扱者が入口１４へと軽く吹き込むことにより）チャンバに吹き入れられて、その頭部が開口部１６から突き出た状態でチャンバの他方端部に移動させることができる。次いで、プラグ１８が入口１４に嵌め合わされて、ハチをホルダに保持する。チャンバの長さおよび直径ならびに開口部１６の寸法は、ハチがその頭部を開口部１６からハウジングの外側に突き出した状態でチャンバにおいて保持かつ抑制されるようなものである。開口部１６は、ハチの体がチャンバにおいて保持されるよう、ハチの頭部は通るがその体は通れないような寸法である。チャンバは、ハチが向きを変えたり、その頭部をチャンバ内に引込めたりするのを妨げるような寸法にされる。
【００２８】
図３には図１および図２のホルダ５が示され、中にハチ３０が保持され、開口部１６から突き出たハチの頭部３２が見えている。
【００２９】
ハチがホルダに抑制された状態で、その頭部を観察することができ、たとえば吻伸展を、たとえば調査の目的で監視し得る。観察が終了すると、プラグ１８が取外され得、ハチは損傷のない無傷の状態で入口１４を通りホルダから出ることができるだろう。
【００３０】
図４〜図１４には、開閉式の射出成形型を用いて製造された、図４〜図６に図示の一体型ポリプロピレン成形物４０から作られたハチホルダのさらなる実施例が示される。成形物は、一体型ヒンジを構成する（図に概略的に示される）薄いウェブ４６によって連結される下方溝部分４２と上方蓋部分４４とを含む。
【００３１】
下方溝部分４２は、底壁４７、側壁４８および４９、ならびに前壁５０を含む。下方溝部分の後部は開いている。長手方向のリブ５１は底壁４７から上向きに延在する。側壁４８および４９は各々、段付きの構成であり、後に説明される、閉じるためのそれぞれの開口部５２および５４を含む。前壁はそこに円形の開口部５６を有し、中央スリット５８がそこから下向きに延在し、前壁の下方傾斜部分６０で終端をなす。それぞれの長方形の開口部６２および６４は、前壁においてスリット５８の両側に設けられる。
【００３２】
上方蓋部分４４は概して平面のカバー部材６５を含み、中に舌部６８が配置される中央開口部６６を備え、この舌部６８は、後に説明されるように、その自由端に隣接した、ホルダにおいてハチを捕らえかつ保持するためのあご７０を有し、こうして保持手段を構成する。１対のアーム７２および７４は蓋部分４４の下側面から垂直に延在し、各々は、閉じる目的で、開口部５２および５４において係合するためのそれぞれの外向きのフランジ部分７６および７８で終端をなす。概して三角形の１対のフィンまたは装着クリップ８０および８２が蓋部分４４の上面から垂直に延在し、クリップの隣接する内側面上にそれぞれ位置決めリブ８４および８６を備える。
【００３３】
ハチホルダは、ヒンジ４６を中心にして部分４２および４４を互いの方に向かって回動させることにより成形物４０から作り出され、このため、蓋部分４４は、図７〜図１４に図示のとおり溝部分４２に重なる。図１１〜図１４はホルダにおけるハチを表わす概略図を含む。アーム７２および７４は、フランジ部分７６および７８が下方溝部分内で動き、さらに開口部５２および５４において係合できるよう十分に弾力的に変形可能であり、こうして、蓋部分４４を下方溝部分上の所定位置にスナップ嵌合で固定する（図９）。結果
としてできるハチホルダは概して箱状の形態であり、全体の長さが１４ｍｍ、全体の高さが（直立した装着クリップを除いて）９ｍｍ、最大幅が９ｍｍ、より狭い下方部分の幅が７ｍｍである。ホルダは、下方部分の幅が５ｍｍである概して箱状のチャンバ８８を規定する。リブ５１の頂部とカバー部材６５（および舌部６８）の下側面とのクリアランスは５ｍｍであり、リブ５１の頂部とあご７０との間隔は３．５ｍｍである。リブ５１は幅が１．８ｍｍである。下方溝部分の開いた後部は、チャンバへの入口を構成し、前壁における（直径４ｍｍの）円形の開口部５６は、チャンバに配置されるハチのための頭部開口部を構成する。
【００３４】
使用する際に、餌を集めるミツバチ９０は、下方溝部分の開いた後部によって構成される入口を通り頭からチャンバ８８に挿入される。ハチは熟練した取扱者によって手作業で挿入されてもよい。代替的には、ハチは、チャンバの下流に適切に位置決めされる１つ以上の誘引物質を用いることにより、チャンバに入るよう誘き寄せられてもよい。ハチは、図１０に示されるように、内部の断面形状がチャンバに類似した積込トンネルを通ってチャンバに入ってもよい。ハチがチャンバに入ると、舌部６８が、図１１に示されるように上方に動き、あご７０をハチの腹部の背部と係合させるようにする。ハチが完全にチャンバに入り、その頭部９４が図１２に示されるように、開口部５６から突き出た状態であるとき、舌部は、材料の弾力性のある性質のためにその元の位置に戻り、あご７０がハチの腹部の背部後方に配置され、こうして、ハチが入口を通ってチャンバから出るのを妨げる。このように、舌部およびあごは一方向の弁として機能して、ハチがチャンバに入ることを可能にするがそこから出るのを防ぐ。開口部５６は、ハチの体がチャンバにおいて保持されるように、ハチの頭部は通るがその体が通れないよう適切に寸法決めされる。こうして、あご７０が保持手段として機能する。チャンバ８８は、中にハチを収容するのに十分な空間を提供しつつ、ハチが向きを変えたりその頭部をチャンバ内に引込めたりするのを妨げるような寸法にされる。リブ５１はチャンバにおけるハチの方向付けを助け、リブ上にハチの体の下側面を載せることができ、ことによるとハチの２対の後ろ脚がリブの両側をつかみ得る。ハチの対の前脚は、チャンバにおけるハチの方向付けをさらに助ける開口部６２および６４を通り得る。ハチの羽は、チャンバ８８のわずかにより広い上方領域において無理なく収容される。
【００３５】
ハチをホルダにおいて抑制した状態で、頭部、特に図１４に示される吻の伸展９６を観察することができ、ここではスリット５８が、チャンバの外側への吻伸展を容易にし、そうしてその吻伸展の監視を容易にするよう位置決めされている。
【００３６】
観察が終了すると、蓋部分４４が下方溝部分４２から遠ざかるようにヒンジ４６を中心にして回動され得、こうして、チャンバを開き、ハチが損傷のない無傷の状態でチャンバから出ることが可能となる。
【００３７】
図１５〜図３０には、図４〜図１４のホルダにいくらか類似したハチホルダの別の実施例が示される。図２１、２２および２７〜３０は、ホルダにおけるハチを示す概略図を含む。図１５〜図３０のホルダは、同様に、図１５に図示の一体型ポリプロピレン成形物１００から作られる。成形物は、一体化した「一体」ヒンジを構成する（図１５に概略的に示される）薄いウェブ１０６によって連結される下方溝部分１０２と上方溝部分１０４とを含む。２つの溝部分をともにほぼ１８０°だけ回動させて、図１６〜図２０に示される第１の開いた位置にありチャンバ１０８を規定するホルダを作り出す。この実施例では、ヒンジは、ヒンジがホルダの前部に位置決めされる先の実施例とは対照的に、ホルダの後部に位置決めされる。
【００３８】
下方溝部分１０２は、長手方向のリブ１１１を備えた底壁１１０と、概して平行な側壁１１２および１１４とを含む。側壁は、それぞれ外向きに延在するフランジ部分１２０お
よび１２２を含み、これらフランジ部分１２０および１２２は、第１の位置でハウジングを保持するための、後に説明される第１のラッチ機構の一部を形成する。側壁の後方部分は、ウェブ１０６によって形成されるヒンジに達するそれぞれの延在部１２４および１２６を含む。下方溝部分の後部は開いている。下方溝部分は傾斜した前壁１３０を含み、この傾斜した前壁１３０は部分的に円形の開口部１３２を含み、そこから下向きに延在し中央に配置されたスリット１３４を備える。それぞれのアパーチャ１３６および１３８はスリット１３４の両側に配置される。前壁１３０はまた２つの窪み１４０および１４２を含み、これら窪み１４０および１４２は、第２の閉じた位置でハウジングを固定するための、後に説明される第２のラッチ機構の一部を形成する。
【００３９】
上方溝部分１０４は、上壁１５０と、概して平行な２つの側壁１５２および１５４とを含み、これらの側壁の後方部分は、下方溝側壁延在部１２４および１２６をそれぞれ収容する空間を与えるよう切欠かれている。側壁は、それぞれの垂下する延在部１５６および１５８を含み、これら垂下する延在部１５６および１５８は内側に延在するフランジ領域１６０および１６２で終端をなし、これら内側に延在するフランジ領域１６０および１６２は、図１９および図１９Ａに図示されるように下方溝部分フランジ１２０および１２２と協働して、第１の位置にハウジングを保持するようラッチ機構をもたらす。ハウジングは、ヒンジ１０６を中心にした回動の際にこのように溝部分のラッチ係合を可能にするのに必要な程度まで変形可能な材料でできている。ヒンジ１０６はまた、後方へのトルクを与えるよう機能して、この位置で成形物を保持する。
【００４０】
上方溝部分１０４は前壁１７０を含み、そこに部分的に円形の開口部１７２を有する。前壁１７０はまた、開口部１７２の両側にそれぞれの垂下した部分１７４および１７６を含み、これら垂下した部分１７４および１７６は、後に説明される第２の閉じた位置でハウジングを固定するために、下方溝部分前壁における窪み１４０および１４２への押込嵌めとして係合させるためのものである。第１の位置ではこれらの構成要素は係合されない。
【００４１】
上方溝部分の上壁１５０は、そこから上向きに延在する概して三角形の２つのフィンまたは装着クリップ１８０および１８２を含む。それぞれの位置決めリブ１８４および１８６は各フィンから内方に延在する。
【００４２】
上述のように、ハウジングの第１の開いた位置においては、上方溝部分のフランジ領域１６０および１６２が下方溝部分のそれぞれのフランジ部分１２０および１２２と係合し、図１８に図示のとおり、２つの溝部分は完全には平行ではなくわずかに傾斜している。ハウジングがこの位置にある状態で、前壁における開口部１３２および１７２がともに、直径４ｍｍの概して円形の頭部開口部１８８を形成する。これは図１７に最も良く示されるとおりである。
【００４３】
ホルダは、概して箱状の形態であり、全体の長さが１４．６ｍｍ、全体の高さが（高さ８ｍｍの直立した装着クリップを除いて）９ｍｍ、最大幅が９ｍｍ、より狭い下方部分の幅が７ｍｍである。ホルダは概して箱状のチャンバ１０８を規定し、このチャンバ１０８は、概して図７〜図１４のハチホルダのチャンバと類似の寸法および構成であり、下方部分の幅が５ｍｍであり、より広い上方部分を備える。ホルダの開いた後部はチャンバへの入口を構成し、前壁における（直径４ｍｍの）円形の開口部１８８は、チャンバに配置されるハチのための頭部開口部を構成する。チャンバは、ハチの頭部が開口部１８８を通り、その体が無理なく収容されるような寸法にされる。
【００４４】
ホルダが第１の開いた位置にある状態で、下方溝部分の開いた後部から入るハチをホルダにおいて配置することができる。ハチは、熟練した取扱者によって手作業でホルダに配
置されてもよい。代替的には、ハチ１９０は、ことによると図２０および図２１に図示される積込トンネル１９２を通ってホルダに入るよう誘き寄せられるかまたは刺激されてもよく、たとえば誘引する香り、光などによって誘き寄せられてもよい。
【００４５】
ハチが、図２２に示されるようにその頭部１９４を開口部１８８から突き出した状態でチャンバに完全に配置されると、ハウジング構成要素は、図２５に示されるように、押込嵌めとしての窪み１４０および１４２における部分１７４および１７６の摩擦係合により第２のラッチ機構の動作を引起こす上方溝部分への下向きの力により、図２２〜図２５に特に示される第２の閉じた位置に動かすことができる。ホルダが第２の位置にある場合、頭部開口部１８８の高さは３．６ｍｍまで減り、これは小さすぎてハチがその頭部を引込めることができない。したがって、開口部１８８はホルダにおけるハチを保持する首輪として機能し、こうして保持手段を構成する。
【００４６】
このようにして、たとえば、図２７に示されるＬＥＤ２０４からの光を遮るハチの突き出た頭部１９４を検出するフォトダイオード２０２に応答して動作するソレノイド装置などの動力アクチュエータ２００によって、手作業または自動で固定を達成し得る。
【００４７】
図２８〜図３０には、第２の閉じた位置にあるハウジングにおけるハチ１９０が示され、ハチはその前脚を開口部１３６および１３８に通してハウジングの外側に出すことができる。ハチの体の下方部分がリブ１１１上に載せられ、その後ろ脚は、図２９に示されるように、リブの両側に形成される溝に置かれる。チャンバの後部の上方部分がハチの羽のための空間を提供する。
【００４８】
ハチがホルダに抑制された状態で、頭部、特に、図３０に示される吻の伸展１９６を観察することができ、ここではスリット１３４は、チャンバの外側への吻伸展を容易にし、そうしてその吻伸展の監視を容易にするよう位置決めされている。
【００４９】
観察が終了すると、ホルダを動かして第１の開いた位置に戻すことにより、またはホルダを完全に開くことにより、ハチをホルダから解放することができる。ハチは、損傷のない無傷の状態でチャンバから出ることができる。
【図面の簡単な説明】
【００５０】
【図１】この発明に従ったハチホルダの一実施例を示す長手方向の断面図である。
【図２】図１のホルダを右側から見た正面図である。
【図３】餌を集めるミツバチが中に保持された、図１および図２のホルダを示す斜視図である。
【図４】この発明に従ったハチホルダの第２の実施例のための成形物を後方および一方側（右側）から示す図である。
【図５】図４に示されるハチホルダ成形物を前方および右側から示す図である。
【図６】図４および図５に示されるハチホルダ成形物を後方および上方から示す図である。
【図７】図４〜図６に示される成形物から形成されるハチホルダを前方および右側から示す図である。
【図８】図７に示されるハチホルダを右側から示す図である。
【図９】線Ａ−Ａに沿った、図８の断面図である。
【図１０】図７〜図９に示される、積込トンネルが取付けられたハチホルダを後方および右側から示す図である。
【図１１】図７〜図１０に示されるハチホルダに入るハチを示す概略的な長手方向の断面図である。
【図１２】ハチホルダに完全に配置されたハチを示す、図１１に類似の図である。
【図１３】図７〜図１２に示される、ホルダにおけるハチを示す正面図である。
【図１４】図７〜図１３のハチホルダにおける、吻が伸展したハチを示す側面図である。
【図１５】この発明に従ったハチホルダの第３の実施例のための成形物を後方および一方側（右側）から示す図である。
【図１６】図１５に示される成形物から形成され、第１の開いた位置にあるハチホルダの前面を右上から示す図である。
【図１７】図１６に示され、第１の開いた位置にあるハチホルダの前面を左下から示す図である。
【図１８】図１６および図１７に示され、第１の開いた位置にあるハチホルダの右側を示す図である。
【図１９】線Ｂ−Ｂに沿った、図１８の断面図である。
【図１９Ａ】図１９を拡大した詳細図である。
【図２０】図１６〜図１９に示され、積込トンネルが取付けられたハチホルダを後方および右側から示す図である。
【図２１】図２０に示されるハチホルダおよびトンネルを右側から示す概略図である。
【図２２】図１６〜図２１に示され、第１の開いた位置にあり、ハチを中に保持したハチホルダを示す正面図である。
【図２３】図１６〜図２２に示され、第２の閉じた位置にあるハチホルダの前面を上方および右側から示す図である。
【図２４】図１６〜図２３に示され、第２の閉じた位置にあるハチホルダの右側を示す図である。
【図２５】図１６〜図２４に示され、第２の閉じた位置にあるハチホルダを前方および左側から示す図である。
【図２５Ａ】図２５を拡大した詳細図である。
【図２６】図１６〜図２５に示され、第２の閉じた位置にあるハチホルダを示す正面図である。
【図２７】図１６〜図２６に示され、ホルダを閉じるための手段を備えたハチホルダを示す概略的な側面図である。
【図２８】図１６〜図２７に示され、第２の閉じた位置にあるハチホルダにおけるハチを示す概略的な長手方向の断面図である。
【図２９】図１６〜図２８に示され、第２の閉じた位置にあるハチホルダにおけるハチを示す概略的な横断面図である。
【図３０】図２８に類似し、その反対側からハチの吻が伸展した状態を示す図である。
【図１】
2005512580.tif 000003
【図２】
2005512580.tif 000004
【図３】
2005512580.tif 000005
【図４】
2005512580.tif 000006
【図５】
2005512580.tif 000007
【図７】
2005512580.tif 000008
【図６】
2005512580.tif 000009
【図８】
2005512580.tif 000010
【図９】
2005512580.tif 000011
【図１０】
2005512580.tif 000012
【図１１】
2005512580.tif 000013
【図１２】
2005512580.tif 000014
【図１３】
2005512580.tif 000015
【図１４】
2005512580.tif 000016
【図１５】
2005512580.tif 000017
【図１６】
2005512580.tif 000018
【図１７】
2005512580.tif 000019
【図１８】
2005512580.tif 000020
【図１９】
2005512580.tif 000021
【図１９Ａ】
2005512580.tif 000022
【図２０】
2005512580.tif 000023
【図２１】
2005512580.tif 000024
【図２２】
2005512580.tif 000025
【図２３】
2005512580.tif 000026
【図２４】
2005512580.tif 000027
【図２５】
2005512580.tif 000028
【図２５Ａ】
2005512580.tif 000029
【図２６】
2005512580.tif 000030
【図２７】
2005512580.tif 000031
【図２８】
2005512580.tif 000032
【図２９】
2005512580.tif 000033
【図３０】
2005512580.tif 000034
【国際調査報告】
2005512580.tif 000035
2005512580.tif 000036